(57)【特許請求の範囲】
【請求項１】
電線が接続される電線接続部と前記電線接続部に連なる電気接触部とを備えた圧接端子を装着するプレート状絶縁体において、
前記圧接端子が載置される底壁と、
前記底壁から立設しかつ互いに並行な複数の隔壁と、
隣り合う隔壁間に位置しかつ前記圧接端子の少なくとも電線接続部と該電線接続部に接続した電線とを収容する電線収容溝と、
前記隔壁の前記底壁から離れた端面から凹でかつ前記電線収容溝内に収容される電線接続部の側方に位置する凹部と、
を備え、
前記凹部と前記圧接端子との間に前記隔壁の一部が設けられていることを特徴とするレート状絶縁体。
【請求項２】
前記電線収容溝を形成する隔壁の内面のうち少なくとも電線接続部の側方に位置する部分は、前記底壁に接離する方向に沿って平坦であることを特徴とする請求項１記載のプレート状絶縁体。
【請求項３】
前記凹部は、電線収容溝内に収容する電線接続部の両側方に設けられていることを特徴とする請求項１または請求項２記載のプレート状絶縁体。
【発明の詳細な説明】
【０００１】
【発明の属する技術分野】
本発明は、圧接端子が装着されるプレート状絶縁体に関する。
【０００２】
【従来の技術】
自動車などに装備されるワイヤハーネスは、電子機器の機能毎などに分けられた複数のサブハーネスとして一旦構成され、これらのサブハーネスを互いに組み付けられて得られるようになっている。このため、前記サブハーネス間の電線相互の接続が煩雑となり、組立時の作業性が悪化する傾向となり最悪の場合には品質が安定しない恐れも生じてきた。
【０００３】
このため、前述した電線相互の接続を容易とするために、プレート状絶縁体と、この絶縁体に装着される圧接端子とを用い、前記プレート状絶縁体を複数枚積層して得られるプレートコネクタが提案されている。なお、前記圧接端子１５０を装着したプレート状絶縁体１６０の一部を拡大して図１２に示す。
【０００４】
前記プレート状絶縁体１６０は、平板状の底壁１６３ａと、この底壁１６３ａから立設した複数の隔壁１６３ｂと、を備えている。複数の隔壁１６３ｂは、互いに平行でかつ互いに等間隔に配されている。これら複数の隔壁１６３ｂのうち隣り合う隔壁１６３ｂ間は、電線１０４を収容する電線収容溝１６１をなしている。電線収容溝１６１を形成する隣り合う隔壁１６３ｂには、これらの隔壁１６３ｂの互いに相対する内面１６３ｃから凹の凹部１７１が形成されている。凹部１７１は、電線収容溝１６１内に収容される圧接端子１５０の電線接続部１５１の側方に位置する。
【０００５】
圧接端子１５０は、導電性を有する板金を折り曲げるなどして得られる。圧接端子１５０は、電線１０４と接続する電線接続部１５１と、前記電線接続部１５１に連なる筒状の電気接触部と、を備えている。電線接続部１５１は、電線１０４を載置する載置壁１５５と、この載置壁１５５の両縁から立設した一対の側壁１５６ａ，１５６ｂと、を備えている。それぞれの側壁１５６ａ，１５６ｂには、圧接刃１５４が形成されている。
【０００６】
一対の側壁１５６ａ，１５６ｂの圧接刃１５４間に電線１０４を圧入することにより、前記圧接刃１５４が電線１０４の被覆部１０５を切り込んで芯線１０６と接触する。このように、電線接続部１５１は、電線１０４と圧接する。圧接端子１５０は、電線接続部１５１と電気接触部とが、平面形状がＬ字状となるように配置されている。圧接端子１５０は、プレート状絶縁体１６０の底壁１６３ａ上に載置されかつ電線接続部１５１が電線収容溝１６１内に収容される。
【０００７】
プレート状絶縁体１６０は、圧接端子１５０を、前記電線収容溝１６１の長手方向と、これらの電線収容溝１６１が互いに並設する方向と、の二方向に沿って前記底壁１６３ａ上に並べる。即ち、プレート状絶縁体１６０は、圧接端子１５０を、底壁１６３ａ上に二次元のマトリックス状に配置する。圧接端子１５０が二次元のマトリックス状に配置されたプレート状絶縁体１６０を複数枚積層し、互いに重なる電気接触部のうち所望の電気接触部内に導電性の接続バーを挿入して、前述したプレートコネクタが得られる。
【０００８】
このように、前記プレートコネクタは、電線１０４と圧接する圧接端子１５０を、プレート状絶縁体１６０の底壁１６３ａの所望の位置に配し、かつ所望の電気接触部内に接続バーを挿入することによって、前記電線１０４などを予め定められるパターンにしたがって、相互に接続する。
【０００９】
前述したプレートコネクタを組み立てる際には、まず、プレート状絶縁体１６０の電線収容溝１６１内でかつ底壁１６３ａ上の所望の位置に圧接端子１５０を装着する。そして、プレート状絶縁体１６０に装着された圧接端子１５０それぞれに電線１０４を圧接する。プレート状絶縁体１６０を積層し、所望の位置に接続バーを挿入する。
【００１０】
プレート状絶縁体１６０に装着された圧接端子１５０に電線１０４を圧接する際には、図１２に示すように、一対の開き防止治具１８１ａ，１８１ｂと、圧接ブレード１８２とを用いる。一対の開き防止治具１８１ａ，１８１ｂは、プレート状絶縁体１６０に接離自在に設けられ、前記プレート状絶縁体１６０に近づくと、隔壁１６３ｂの凹部１７１内に侵入可能な押え爪１８３を備えている。
【００１１】
一対の開き防止治具１８１ａ，１８１ｂは、押え爪１８３が前記凹部１７１内に侵入して、側壁１５６ａ，１５６ｂを互いの押え爪１８３間に位置させて、側壁１５６ａ，１５６ｂが互いに離れることを防止する。圧接ブレード１８２は、板状に形成されかつ前記開き防止治具１８１ａ，１８１ｂ間を通って、プレート状絶縁体１６０に接離自在に設けられている。
【００１２】
圧接端子１５０に電線１０４を圧接する際には、図１２に示すように、まず、一対の開き防止治具１８１ａ，１８１ｂがプレート状絶縁体１６０に近づいて、押え爪１８３が凹部１７１内に侵入する。そして、一対の開き防止治具１８１ａ，１８１ｂ間でかつ前記プレート状絶縁体１６０と圧接ブレード１８２との間に電線１０４を挿入する。その後、圧接ブレード１８２が、一対の開き防止治具１８１ａ，１８１ｂ間を通ってプレート状絶縁体１６０に近づいて、電線１０４を、圧接刃１５４間に圧入する。
【００１３】
【発明が解決しようとする課題】
しかしながら、図１２に示したプレート状絶縁体１６０では、開き防止治具１８１ａ，１８１ｂの押え爪１８３が、隔壁１６３ｂの内面１６３ｃから凹の凹部１７１内に侵入する。このため、プレート状絶縁体１６０の位置決め誤差や開き防止治具１８１ａ，１８１ｂの取り付け誤差などによって、開き防止治具１８１ａ，１８１ｂをプレート状絶縁体１６０に近づけると、押え爪１８３が圧接端子１５０の側壁１５６ａ，１５６ｂに接触することが考えられる。
【００１４】
開き防止治具１８１ａ，１８１ｂの押え爪１８３が側壁１５６ａ，１５６ｂに接触すると、載置壁１５５から離れた縁が載置壁１５５に接離する方向に、側壁１５６ａ，１５６ｂが曲げられることとなり、電線１０４を圧接刃１５４間に圧入することが困難となる。このため、電線１０４を、電線接続部１５１即ち圧接端子１５０に接続できなくなる。
【００１５】
また、隔壁１６３ｂの内面１６３ｃから凹の凹部１７１が設けられている。このため、圧接刃１５４間に電線１０４を圧接した後、開き防止治具１８１ａ，１８１ｂをプレート状絶縁体１６０から遠ざけると、板金を折り曲げる際に生じる弾性復元力によって、図１３に示すように、圧接端子１５０の側壁１５６ａ，１５６ｂが互いに離れることが考えられる。
【００１６】
即ち、前記弾性復元力によって、圧接端子１５０の電線接続部１５１が外方向に開こうとする。この場合、圧接刃１５４と電線１０４の芯線１０６とが互いに離れて、電線１０４を、電線接続部１５１即ち圧接端子１５０に接続できなくなる。
【００１７】
したがって、本発明の目的は、装着する圧接端子と電線とを確実に接続できるプレート状絶縁体を提供することにある。
【００１８】
【課題を解決するための手段】
前記課題を解決し目的を達成するために、請求項１に記載の本発明のプレート状絶縁体は、電線が接続される電線接続部と前記電線接続部に連なる電気接触部とを備えた圧接端子を装着するプレート状絶縁体において、前記圧接端子が載置される底壁と、前記底壁から立設しかつ互いに並行な複数の隔壁と、隣り合う隔壁間に位置しかつ前記圧接端子の少なくとも電線接続部と該電線接続部に接続した電線とを収容する電線収容溝と、前記隔壁の前記底壁から離れた端面から凹でかつ前記電線収容溝内に収容される電線接続部の側方に位置する凹部と、を備え、前記凹部と前記圧接端子との間に前記隔壁の一部が設けられていることを特徴としている。
【００１９】
請求項２に記載の本発明のプレート状絶縁体は、請求項１記載のプレート状絶縁体において、前記電線収容溝を形成する隔壁の内面のうち少なくとも電線接続部の側方に位置する部分は、前記底壁に接離する方向に沿って平坦であることを特徴としている。
【００２０】
請求項３に記載の本発明のプレート状絶縁体は、請求項１または請求項２記載のプレート状絶縁体において、前記凹部は、電線収容溝内に収容する電線接続部の両側方に設けられていることを特徴としている。
【００２１】
請求項１に記載された本発明によれば、圧接端子に電線を圧接する際に、電線接続部が外方向に開こうとすることを防止するための押え爪を、隔壁の底壁から離れた端面に形成された凹部内に挿入することができる。このため、押え爪やプレート状絶縁体の位置決め誤差などによって、押え爪が圧接端子の電線接続部に接触することを防止できる。
【００２２】
請求項２に記載された本発明によれば、電線収容溝を形成する隔壁の内面のうち電線接続部の側方に位置する部分が、底壁に接離する方向に沿って平坦である。このため、電線収容溝内即ち隔壁間に挿入された圧接端子の電線接続部が、電線の圧接後などに、外方向に開こうとしも前記隔壁の内面が電線接続部の外面と接触する。
【００２３】
請求項３に記載された本発明によれば、凹部が電線収容溝内に収容される電線接続部の両側方に設けられている。このため、電線接続部の両側方に設けられた凹部内に押え爪を挿入することによって、電線を圧接する際に、電線接続部が開こうとすることを確実に防止できる。
【００２４】
【発明の実施の形態】
以下、本発明の一実施形態にかかるプレート状絶縁体としての圧接プレート６０を、図１ないし図１１を参照して説明する。図１に示す本発明の一実施形態にかかるプレート状絶縁体としての圧接プレート６０は、図４などに示す圧接端子としてのＪＢ（Junction Block）用圧接端子５０が装着されて、図２に示すように複数が積層されて、図３に示すプレートコネクタとしての積層プレートコネクタ１を構成する。
【００２５】
なお、ＪＢ用圧接端子５０は、電線４（図１などに示す）を圧接する。積層プレートコネクタ１は、前記ＪＢ用圧接端子５０に圧接された電線４を、予め定められるパターンにしたがって電気的に接続する。
【００２６】
ＪＢ用圧接端子５０は、導電性の板金などを折り曲げるなどして形成されている。ＪＢ用圧接端子５０は、図４などに示すように、電線４が接続される電線接続部５１と、電気接触部５２と、複数の係止片５８と、を備えている。電線接続部５１は、電線４が載置される平坦な載置壁５５と、一対の側壁５６ａ，５６ｂと、かしめ片５３と、圧接部５１ａと、を備えている。
【００２７】
載置壁５５は、帯板状に形成されている。一対の側壁５６ａ，５６ｂは、それぞれ、帯板状に形成されている。一対の側壁５６ａ，５６ｂは、載置壁５５の幅方向に沿って間隔を存する両縁に連なっている。一対の側壁５６ａ，５６ｂは、それぞれ、載置壁５５に立設している。一対の側壁５６ａ，５６ｂは、互いの間に圧接部５１ａに圧接される電線４を位置させる。
【００２８】
かしめ片５３は、載置壁５５に立設している。かしめ片５３は、載置壁５５の幅方向の縁に連なっている。かしめ片５３は、載置壁５５に被さるように曲げられることにより、載置壁５５との間に電線４を挟んで保持する。即ち、かしめ片５３は、電線４を載置壁５５にかしめる。
【００２９】
圧接部５１ａは、互いに対向する二対の圧接刃５４ａ，５４ｂを備えている。圧接刃５４ａ，５４ｂは、載置壁５５に立設している。圧接刃５４ａ，５４ｂは、側壁５６ａ，５６ｂの内面からこれら一対の側壁５６ａ，５６ｂが互いに近づく方向に突出している。
【００３０】
圧接刃５４ａ，５４ｂは、互いの間に電線４を圧入することにより、電線４の被覆部５（図１０及び図１１に示す）を切り込んで芯線６（図１０及び図１１に示す）に接触して、前記電線４と電気的に接続する。即ち、圧接刃５４ａ，５４ｂは、電線４と圧接する。
【００３１】
電気接触部５２は、載置壁５５の幅方向の一方の縁に連なっている。即ち、電気接触部５２は、電線接続部５１と連なっている。電気接触部５２と電線接続部５１とは、ＪＢ用圧接端子５０の平面形状がＬ字状となる位置に配されている。電気接触部５２は、電線接続部５１に対し、載置壁５５に載置される電線４の長手方向から屈曲した位置に配されている。
【００３２】
電気接触部５２は、角筒状に形成されている。電気接触部５２はその筒孔が圧接プレート６０の連通孔７０に連通するように配される。電気接触部５２の筒孔内には、挿入子としての図５などに示す接続バー８０が挿入される。
【００３３】
この接続バー８０は、導電性の金属などからなりかつ帯板状に形成されている。電気接触部５２の筒孔内には、接続ばね片５７が設けられている。接続ばね片５７は、接続バー８０を電気接触部５２の筒孔の内面に向かって押圧する。接続ばね片５７は、接続バー８０と電気接触部５２とを電気的に接続する。
【００３４】
電気接触部５２は、圧接プレート６０が互いに積層された際に、筒孔内に接続バー８０が挿入されることによって、互いに重なるＪＢ用圧接端子５０同士を電気的に接続する。こうして、電気接触部５２は、他の端子金具としての他のＪＢ用圧接端子と接続する。
【００３５】
係止片５８は、側壁５６ａ，５６ｂの一部が切りかかれて形成されている。係止片５８は、側壁５６ａ，５６ｂそれぞれに設けられている。それぞれの係止片５８は、一端部が側壁５６ａ，５６ｂに連なり、かつ他端部が側壁５６ａ，５６ｂから離れている。それぞれの係止片５８は、特に前記他端部が側壁５６ａ，５６ｂの外面５９ａ，５９ｂから外方向に突出している。
【００３６】
係止片５８は、図４などに示すように、前記一端部から他端部に向かうにしたがって、徐々に外面５９ａ，５９ｂから離れるように傾斜している。係止片５８は、ＪＢ用圧接端子５０が圧接プレート６０に装着された際に、前記他端部が後述する隔壁６３ｂの内面６３ｃに係止可能である。
【００３７】
ＪＢ用圧接端子５０は、電線接続部５１が圧接プレート６０の後述する電線収容溝６１の溝本体６１ａ内に収容され、かつ電気接触部５２が電線収容溝６１の後述する収容部６４内に収容される。ＪＢ用圧接端子５０は、他端部間の間隔が狭くなる方向に係止片５８が押圧されて、溝本体６１ａ及び収容部６４内に圧入される。ＪＢ用圧接端子５０は、溝本体６１ａ及び収容部６４内に圧入されることで、圧接プレート６０に収容される（又は保持されるともいい、又は装着されるともいう。）。
【００３８】
圧接プレート６０は、絶縁性の合成樹脂などからなり、プレート状即ち平板状に形成されている。圧接プレート６０は、図１ないし図３及び図６などに示すように、矩形状のプレート本体６２と、複数の電線収容溝６１と、連通孔７０（図６に示す）と、を備えている。プレート本体６２は、ほぼ平坦な底壁６３ａと、奥壁６５と、一対の側壁６７と、底壁６３ａから立設した複数の隔壁６３ｂと、フランジ部６８と、を備えている。
【００３９】
奥壁６５は、底壁６３ａの図中奥側に位置する一つの縁部に連なっている。奥壁６５は、底壁６３ａに立設している。一対の側壁６７は、底壁６３ａの互いに相対する一対の縁部と前記奥壁６５とに連なっている。一対の側壁６７は、底壁６３ａに立設している。一対の側壁６７は、互いに平行である。
【００４０】
隔壁６３ｂは、互いに平行（即ち並行）でかつ間隔を存している。隔壁６３ｂは、それぞれ一対の側壁６７と平行である。隔壁６３ｂは、それぞれプレート本体６２の長手方向に沿っている。
【００４１】
フランジ部６８は、前記底壁６３ａの縁部からプレート本体６２の外方向に突出している。フランジ部６８は、奥壁６５及び側壁６７の外表面から外方向に突出している。フランジ部６８は、底壁６３ａの全周に亘って設けられている。フランジ部６８は、底壁６３ａ即ちプレート本体６２の剛性を向上させて、底壁６３ａ即ちプレート本体６２が湾曲することを防止する。
【００４２】
電線収容溝６１は、隣り合う隔壁６３ｂと底壁６３ａとで囲まれて形成されている。電線収容溝６１は、プレート本体６２の幅方向に沿って、即ち前記側壁６７が互いに相対する方向に沿って、並設されている。電線収容溝６１は、互いに平行（即ち並行）である。電線収容溝６１は、プレート本体６２の長手方向に沿って延びている。即ち、電線収容溝６１は、奥壁６５に接離する方向に沿って延びている。電線収容溝６１は、電線４とＪＢ用圧接端子５０とを収容可能である。
【００４３】
電線収容溝６１は、図６などに示すように、溝本体６１ａと、収容部６４とを備えている。溝本体６１ａは、隣り合う隔壁６３ｂの内面６３ｃと、底壁６３ａの表面とで、形成されている。溝本体６１ａは、前記側壁６７及び隔壁６３ｂに沿って延在している。溝本体６１ａは、電線４と、ＪＢ用圧接端子５０の電線接続部５１と、を収容する。
【００４４】
収容部６４は、隣り合う一対の隔壁６３ｂの間隔を拡げるように、前記隔壁６３ｂの内面６３ｃから凹に形成されている。収容部６４は、一つの電線収容溝６１を形成する隣り合う一対の隔壁６３ｂそれぞれに設けられている。収容部６４は、溝本体６１ａの長手方向に沿って、一方の隔壁６３ｂと他方の隔壁６３ｂとに、交互に設けられている。
【００４５】
こうして、収容部６４は、電線収容溝６１の溝本体６１ａの長手方向に沿って複数並設されている。収容部６４は、ＪＢ用圧接端子５０の電気接触部５２を収容する。連通孔７０は、収容部６４に一つずつ設けられている。連通孔７０は、それぞれプレート本体６２の底壁６３ａを貫通している。
【００４６】
また、圧接プレート６０は、複数の凹部７１を備えている。凹部７１は、隔壁６３ｂの底壁６３ａから離れた端面６３ｄから凹に形成されている。端面６３ｄは、底壁６３ａの表面に沿って平坦に形成されている。凹部７１は、収容部６４内に電気接触部５２が収容されたＪＢ用圧接端子５０の電線接続部５１の側方に設けられている。
【００４７】
一つの電線収容溝６１を形成する一対の隔壁６３ｂの端面６３ｄに設けられた凹部７１は、図６及び図７に示すように、互いの間に、ＪＢ用圧接端子５０の電線接続部５１を位置させる。こうして、凹部７１は、ＪＢ用圧接端子５０の電線接続部５１の両側方に設けられている。
【００４８】
また、凹部７１は、図６に示すように、一つの電線収容溝６１（図６中に符号Ａで示す）の収容部６４と、この一つの電線収容溝６１の隣りの他の電線収容溝６１（図６中に符号Ｂで示す）の収容部６４と、の間に設けられている。このように、凹部７１は、電線収容溝６１即ち圧接プレート６０の長手方向に沿って、前記一つの電線収容溝Ａの収容部６４と、前記他の電線収容溝Ｂの収容部６４との間に設けられている。
【００４９】
また、電線収容溝６１を形成する隔壁６３ｂの互いに相対する内面６３ｃは、少なくとも、収容部６４内に収容したＪＢ用圧接端子５０の電線接続部５１に相対する部分Ｈが、図６及び図７に示すように、底壁６３ａに接離する方向に沿って平坦である。内面６３ｃの部分Ｈは、底壁６３ａの表面に対し直交または略直交している。なお、この部分Ｈは、電線収容溝６１内に収容するＪＢ用圧接端子５０の電線接続部５１の側方に位置する部分をなしている。
【００５０】
さらに、前記圧接プレート６０は、複数の係止突起６６と図示しない複数の係止受け突起とを備えている。これらの係止突起６６と係止受け突起とは、互いに係止する。前述した積層プレートコネクタ１を構成する際に、これらの係止突起６６と係止受け突起とが互いに係止して、圧接プレート６０が互いに固定する。
【００５１】
前記圧接プレート６０は、図６などに示すように、ＪＢ用圧接端子５０を、前記電線収容溝６１の溝本体６１ａの長手方向と、これらの電線収容溝６１が並設する方向と、の二方向に沿って前記底壁６３ａ上に並べる。即ち、前記圧接プレート６０は、ＪＢ用圧接端子５０を、底壁６３ａ上に二次元のマトリックス状に配置する。
【００５２】
前記積層プレートコネクタ１を組み立てる際には、まず、圧接プレート６０に、ＪＢ用圧接端子５０を装着する。このとき、ＪＢ用圧接端子５０を、底壁６３ａに近づけて、プレート本体６２に装着する。係止片５８が隔壁６３ｂの内面６３ｃに係止して、ＪＢ用圧接端子５０は電線収容溝６１内に収容されて、圧接プレート６０に固定される。
【００５３】
そして、溝本体６１ａ及び収容部６４内に収容されたＪＢ用圧接端子５０に、電線４を圧接する。このとき、図８ないし図１１に示す一対の開き防止治具８１ａ，８１ｂと、圧接ブレード８２とを用いる。一対の開き防止治具８１ａ，８１ｂは、それぞれ、圧接プレート６０に接離自在に設けられ、前記圧接プレート６０に近づくと、凹部７１内に侵入可能な押え爪８３を備えている。
【００５４】
一対の開き防止治具８１ａ，８１ｂの押え爪８３は、一つの電線収容溝６１の形成する隣り合う一対の隔壁６３ｂに設けられた凹部７１内に侵入する。こうして、一対の開き防止治具８１ａ，８１ｂの押え爪８３は、互いの間にＪＢ用圧接端子５０の電線接続部５１を位置させる。
【００５５】
一対の開き防止治具８１ａ，８１ｂの押え爪８３は、凹部７１内に侵入すると、互いの間に位置した電線接続部５１の側壁５６ａ，５６ｂ間の間隔が広がらないように、隔壁６３ｂを構成する母材を介して、前記側壁５６ａ，５６ｂを押さえる。一対の開き防止治具８１ａ，８１ｂの押え爪８３は、隔壁６３ｂを構成する母材を介して、電線接続部５１が外方向に広がらないように、前記電線接続部５１を押さえる。
【００５６】
圧接ブレード８２は、板状に形成されかつ圧接プレート６０に接離自在に設けられている。圧接ブレード８２は、一対の開き防止治具８１ａ，８１ｂ間を通って、圧接プレート６０に近づく。圧接ブレード８２は、圧接プレート６０に近づくと、押え爪８３が侵入した凹部７１間に位置する電線収容溝６１内に侵入可能である。圧接ブレード８２は、押え爪８３が侵入した凹部７１間に位置する電線収容溝６１内に収容されたＪＢ用圧接端子５０の電線接続部５１の側壁５６ａ，５６ｂ間に侵入可能である。
【００５７】
まず、電線４を圧接刃５４ａ，５４ｂ間に圧入するには、図８に示すように、圧接ブレード８２の先端に電線接続部５１が相対する位置に、圧接プレート６０を位置決めする。図９に示すように、一対の開き防止治具８１ａ，８１ｂを圧接プレート６０に近づける。一対の開き防止治具８１ａ，８１ｂの押え爪８３が、電線４を圧接する電線接続部５１を挟む凹部７１内に侵入する。押え爪８３が、隔壁６３ｂを構成する母材を介して、側壁５６ａ，５６ｂを押さえてこれらの側壁５６ａ，５６ｂが互いに離れることを防止する。
【００５８】
図１０に示すように、一対の開き防止治具８１ａ，８１ｂ間に電線４を挿入する。圧接ブレード８２を、一対の開き防止治具８１ａ，８１ｂ間を通して、圧接プレート６０に近づける。電線４が、図１１に示すように、側壁５６ａ，５６ｂ間に圧入されて、被覆部５に圧接刃５４ａ，５４ｂが切り込んで芯線６と接触する。こうして、圧接刃５４ａ，５４ｂ即ち電線接続部５１と電線４とが電気的に接続される。
【００５９】
この状態で、圧接プレート６０は、図２に示すように、プレート本体６２が互いに平行でかつ間隔を存して積層される。そして、圧接プレート６０は、互いに近づけられて、係止突起６６と係止受け突起とが係止して固定される。圧接プレート６０は、所定の連通孔７０及び電気接触部５２の筒孔内に接続バー８０が挿入されて、図３に示すように、積層プレートコネクタ１を構成する。
【００６０】
積層プレートコネクタ１は、ＪＢ用圧接端子５０を底壁６３ａ上に配置する位置及び接続バー８０を挿入する位置を選択することによって、ＪＢ用圧接端子５０に圧接される電線４を、予め定められるパターンにしたがって接続する。また、前記積層プレートコネクタ１は、例えばリレー、ヒューズなどを装着する電気接続箱内に収容されて、前記電線４と前述したリレーやヒューズなどとを、予め定められるパターンにしたがって接続する。
【００６１】
本実施形態によれば、電線４を圧接する際に、開き防止治具８１ａ，８１ｂの押え爪８３を、端面６３ｂに設けられた凹部７１内に挿入する。このため、押え爪８３や圧接プレート６０の位置決め誤差などによって、押え爪８３がＪＢ用圧接端子５０の電線接続部５１の側壁５６ａ，５６ｂに接触することを防止できる。したがって、電線４を圧接する際に電線接続部５１の側壁５６ａ，５６ｂなどが変形して、電線４を圧接できなくなることを防止できる。
【００６２】
また、この凹部７１が、電線収容溝６１内に収容したＪＢ用圧接端子５０の電線接続部５２の両側方に設けられて、互いの間に電線接続部５２を位置させる。このため、電線４の圧接中に、電線接続部５１の側壁５６ａ，５６ｂが互いに離れない。
【００６３】
さらに、前記内面６３ｃの部分Ｈが、底壁６３ａに接離する方向に沿って平坦である。電線４の圧接後に、側壁５６ａ，５６ｂが互いに離れて、電線接続部５１が外方向に開こうとしも、前記隔壁６３ｂの内面６３ｃが電線接続部５１の外面５９ａ，８９ｂと接触する。このため、電線４を圧接した後に、電線接続部５１が外方向に開くことを確実に防止できる。したがって、圧接プレート６０は、電線接続部５１即ちＪＢ用圧接端子５０と電線４とを確実に電気的に接続することができる。
【００６４】
【発明の効果】
以上説明したように請求項１に記載の本発明は、電線を圧接する際に、電線接続部が外方向に開くことを防止する押え爪が、電線接続部に接触することを防止できる。このため、電線を圧接する際に電線接続部の部分などが変形して、電線を圧接できなくなることを確実に防止できる。
【００６５】
請求項２に記載の本発明は、電線を圧接した後に、電線接続部が外方向に開こうとした際に、底壁に接離する方向に沿って平坦な隔壁の内面に、電線接続部の外面が接触する。このため、電線を圧接した後に、電線接続部が外方向に開くことを、確実に防止できる。したがって、電線接続部即ち圧接端子と電線とを確実に電気的に接続することができる。
【００６６】
請求項３に記載の本発明は、電線の圧接中に、電線接続部の両側方に設けられた凹部内に押え爪を挿入することによって、電線接続部が外方向に開こうとすることを確実に防止できる。したがって、電線接続部に電線をより一層確実に接続できる。
【図面の簡単な説明】
【図１】本発明の一実施形態にかかる圧接プレートなどを示す斜視図である。
【図２】図１に示された圧接プレートが互いに間隔を存して重ねられた状態を示す斜視図である。
【図３】図１に示された圧接プレートが互いに固定されて得られた積層プレートコネクタを示す斜視図である。
【図４】図３に示された積層プレートコネクタのＪＢ用圧接端子を示す斜視図である。
【図５】図３に示された積層プレートコネクタの接続バーを示す斜視図である。
【図６】図１に示された圧接プレートに図４に示されたＪＢ用圧接端子が装着された状態を示す平面図である。
【図７】図６中のＶＩＩ−ＶＩＩ線に沿う断面図である。
【図８】図６に示された圧接プレートを、開き防止治具及び圧接ブレードに相対させた状態を示す断面図である。
【図９】図６に示された圧接プレートに、開き防止治具が近づいて、凹部内に押え爪が侵入した状態を示す断面図である。
【図１０】図９に示された開き防止治具間に、電線を挿入した状態を示す断面図である。
【図１１】図１０に示された電線を、圧接ブレードが圧接刃に圧入した状態を示す断面図である。
【図１２】従来のプレート状絶縁体に装着された圧接端子に、電線を圧接する際に用いられる開き防止治具及び圧接ブレードを示す断面図である。
【図１３】図１２に示されたプレート状絶縁体に装着され、かつ電線が圧接された圧接端子の電線接続部が外方向に広がった状態を示す断面図である。
【符号の説明】
４  電線
５０  ＪＢ用圧接端子（圧接端子）
５１  電線接続部
５２  電気接触部
６０  圧接プレート（プレート状絶縁体）
６１  電線収容溝
６３ａ  底壁
６３ｂ  隔壁
６３ｃ  内面
６３ｄ  端面
７１  凹部
Ｈ  内面の部分
【図１】
0003746951.tif 000002
【図２】
0003746951.tif 000003
【図３】
0003746951.tif 000004
【図４】
0003746951.tif 000005
【図５】
0003746951.tif 000006
【図６】
0003746951.tif 000007
【図７】
0003746951.tif 000008
【図８】
0003746951.tif 000009
【図９】
0003746951.tif 000010
【図１０】
0003746951.tif 000011
【図１１】
0003746951.tif 000012
【図１２】
0003746951.tif 000013
【図１３】
0003746951.tif 000014